(57)【要約】      （修正有）【課題】構造が強化され耐久性が大幅に向上した複合式ボールバットを提供する。【解決手段】軸線Ｘに沿って延伸しており、グリップ部分１１と、軸線Ｘに沿って前方に延伸し、グリップ部分１１と相対して設けられると共にグリップ部分１１よりも外径が小さい接続部分１２と、グリップ部分１１及び接続部分１２の間に設けられる第１の当接部分１３とを有する中空の把持部材１と、軸線Ｘに沿って延伸し、第１の当接部分１３と当接する第２の当接部分２１１と、これと相対して設けられる頂端部分２１２と、第２の当接部分２１１から頂端部分２１２に向かって延伸する接続孔２３とを有し、接続孔２３に接続部分１２が挿入される木材製の打球部材２と、第２の当接部分２１１を囲むように設けられた環状の補強部材３と、を具えることを特徴とする。【選択図】図１
0003185601.tif 000002
【実用新案登録請求の範囲】
【請求項１】
所定の軸線に沿って延伸するように設けられたものであって、グリップ部分と、前記グリップ部分の前側において前記軸線に沿って前方に延伸し、前記グリップ部分と相対して設けられていると共に前記グリップ部分よりも外径が小さい接続部分と、前記グリップ部分および前記接続部分の間に設けられている第１の当接部分とを有する中空の把持部材と、
前記軸線に沿って延伸するように設けられた木材製のものであって、前側から前記第１の当接部分と当接している第２の当接部分と、前記軸線に沿って前方に延伸した延伸側に前記第２の当接部分と相対して設けられている頂端部分と、前記第２の当接部分から前記頂端部分に向かって延伸するように設けられた接続孔とを有しており、前記接続孔に前記把持部材の前記接続部分が後方から挿入されている打球部材と、
前記第２の当接部分を周りから囲むように設けられた環状の補強部材と、
を具えていることを特徴とする複合式ボールバット。
【請求項２】
前記把持部材の前記第１の当接部分は、前記軸線を囲むように截頭円錐状に形成された第１の当接面を有しており、
前記打球部材の前記第２の当接部分は、前記第１の当接面と形状対応するように形成された第２の当接面を有しており、
前記第１の当接面と前記第２の当接面とは、一方が凸出面、他方が凹陥面となって互いに嵌まり合っている
ことを特徴とする請求項１に記載の複合式ボールバット。
【請求項３】
前記補強部材は、更に前記第１の当接部分をも囲むように設けられている
ことを特徴とする請求項１に記載の複合式ボールバット。
【請求項４】
前記打球部材は、前記第２の当接部分と前記頂端部分とを有する周壁と、該周壁に囲まれており且つ該周壁と共に前記接続孔を画成している当接壁とを更に有しており、
前記把持部材の前記接続部分は、前記グリップ部分から離れた側の先端部分が先端開口を有する中空筒状になっている上に、複数のスリットが周方向に間隔をあけてそれぞれ該先端開口から前記軸線方向に沿って後方へ延伸するように切り込まれており、
前記把持部材は、各前記スリットの幅を広げて前記先端部分を径方向外向きに押し広げるように前記先端開口に挿入されている拡張部材を更に有している
ことを特徴とする請求項１に記載の複合式ボールバット。
【請求項５】
前記打球部材は、その頂端部分に近い側に、前記周壁と前記当接壁とから画成されていると共に前記接続孔と前記軸線方向に間隔をおいて前記接続孔よりも径大に設けられた収容孔を有しており、
前記収容孔には、打球部材側芯管が密嵌されている
ことを特徴とする請求項４に記載の複合式ボールバット。
【請求項６】
前記把持部材は、
前記グリップ部分と前記第１の当接部分とを形成している中空管状のグリップ本体と、
該グリップ本体に内挿されていると共にその一端が前記第１の当接部分から前記軸線方向に沿って前方に突き出ており、その突き出た部分が前記接続部分を形成している把持部材側芯管と、
を有している
ことを特徴とする請求項１に記載の複合式ボールバット。
【請求項７】
前記グリップ本体は、発泡材料からなっている
ことを特徴とする請求項６に記載の複合式ボールバット。
【請求項８】
前記把持部材側芯管は、繊維強化プラスチックからなっている
ことを特徴とする請求項６に記載の複合式ボールバット。
【請求項９】
前記補強部材は、金属と繊維強化プラスチックとのいずれかからなっている
ことを特徴とする請求項１に記載の複合式ボールバット。
【請求項１０】
前記把持部材は、全体が一体成形されている
ことを特徴とする請求項１に記載の複合式ボールバット。
【請求項１１】
前記把持部材は、全体が繊維強化プラスチックからなっている
ことを特徴とする請求項１０に記載の複合式ボールバット。
【考案の詳細な説明】
【技術分野】
【０００１】
本考案は、ボールバットに関し、特に異なる材質を複合してなった複合式ボールバットに関するものである。
【背景技術】
【０００２】
野球用のバットとしては、製造コストが比較的低い木製バットが広く用いられている。しかし、木製バットは、構造強度が比較的低いため打球時に折れることがある。また、比較的重いため、スイングに力がかかり打球性能に劣るうえに、ボールに当たった際の振動が大きいので、運動障害の原因にもなる。
【０００３】
そこで、上述の欠点を改善するために、異なる材質を複合してなった複合式ボールバットが知られている（特許文献１参照）。これは、繊維強化プラスチックからなるグリップ部側芯管を振動吸収性の発泡材料層で包むことにより形成されたグリップ部材と、同じく繊維強化プラスチックからなりグリップ部側芯管よりも外径が大きい打球部側芯管を木質材料層で包むことにより形成された打球部材とを、互いの芯管の一端同士を繋ぎ合わせることで、１本のボールバットと成したものである。また、打球部材には、その先端側からグリップ部材との接合部側に向かって徐々に径小となっているテーパー部が設けられている。
【先行技術文献】
【特許文献】
【０００４】
【特許文献１】米国特許６，９２９，５７３号公報
【考案の概要】
【考案が解決しようとする課題】
【０００５】
しかしながら、上述のような複合式ボールバットにおいては、打球部材のテーパー部において木質材料層が肉薄になっている上に、上述の芯管の一端同士の接合部がちょうどテーパー部の内部に位置しているので、打球時に応力が最もかかる接合部が適切に保護されていない。これにより、打球時の衝撃による接合部の破損や、接合部の周りに位置する木質材料層の破損が起こりやすいという問題点がある。
【０００６】
本考案は、上記問題点に鑑みてなされたものであり、その目的は、構造が強化されたことで耐久性が大幅に向上した複合式ボールバットの提供にある。
【課題を解決するための手段】
【０００７】
上記目的を達成するために、本考案は、以下の手段を提供する。即ち、
所定の軸線に沿って延伸するように設けられたものであって、グリップ部分と、前記グリップ部分の前側において前記軸線に沿って前方に延伸し、前記グリップ部分と相対して設けられていると共に前記グリップ部分よりも外径が小さい接続部分と、前記グリップ部分および前記接続部分の間に設けられている第１の当接部分とを有する中空の把持部材と；前記軸線に沿って延伸するように設けられた木材製のものであって、前側から前記第１の当接部分と当接している第２の当接部分と、前記軸線に沿って前方に延伸した延伸側に前記第２の当接部分と相対して設けられている頂端部分と、前記第２の当接部分から前記頂端部分に向かって延伸するように設けられた接続孔とを有しており、前記接続孔に前記把持部材の前記接続部分が後方から挿入されている打球部材と；前記第２の当接部分を周りから囲むように設けられた環状の補強部材と；を具えていることを特徴とする複合式ボールバットを提供する。
【考案の効果】
【０００８】
上記手段によれば、打球時にその応力を最も受ける部分である打球部材の第２の当接部分が、補強部材により周りから囲まれているので、当該部分が打球時の衝撃で破損することが防がれている複合式ボールバットを提供することができる。
【図面の簡単な説明】
【０００９】
【図１】本考案に係る複合式ボールバットの第１の実施形態を示す部分分解側面図。
【図２】上記第１の実施形態を示す縦断面図。
【図３】図２の一部を拡大して示す縦断面図。
【図４】本考案に係る複合式ボールバットの第２の実施形態を示す部分分解側面図。
【図５】上記第２の実施形態を示す縦断面図。
【図６】図５の一部を拡大して示す縦断面図。
【図７】本考案に係る複合式ボールバットの第３の実施形態を示す縦断面図。
【考案を実施するための形態】
【００１０】
以下、添付図面を参照しながら、本考案の具体的な実施形態を詳細に説明する。なお、以下の説明において、各実施形態において共通であり且つ略同一の機能及び構成を有する構成要素については、同一符号を付し、重複説明は必要な場合にのみ行う。
【００１１】
（第１の実施形態）
図１から図３は、本考案に係る複合式ボールバットの第１の実施形態を示している。図中、１は後方側となる把持部材、２は前方側となる打球部材、３はそれらの中間に位置する補強部材をそれぞれ指している。
【００１２】
把持部材１は、前後方向に伸びる所定の軸線Ｘに沿って長く延伸するように設けられている中空状のものであって、後端側にあって使用時に握られる部分となるグリップ部分１１と、前端側にあってグリップ部分１１と相対するように軸線Ｘに沿ってグリップ部分１１より前方に延伸して設けられていると共に、グリップ部分１１よりも外径が小さい接続部分１２と、グリップ部分１１および接続部分１２の間に設けられた第１の当接部分１３とを有している。
【００１３】
接続部分１２は、グリップ部分１１から離れた側の先端部分（図示における右端）が先端開口を有する中空筒状になっている上に、複数のスリット１５が、周方向に間隔をあけて該先端開口からそれぞれ軸線Ｘの方向に沿って後方へ延伸するように切り込まれている。また、各スリット１５の幅を広げて接続部分１２の上記先端部分を径方向外向きに押し広げるように、接続部分１２の上記先端開口には、円錐状の拡張部材１４がその細った端から挿入されている。
【００１４】
第１の当接部分１３は、本実施形態において、その先端部に軸線Ｘを囲む先細りの截頭円錐状に形成された第１の当接面１３１を有している。
【００１５】
また、本実施形態における把持部材１は、グリップ部分１１と第１の当接部分１３とを形成している中空管状のグリップ本体１７と、グリップ本体１７に挿入されている把持部材側芯管１６とから構成されており、軸線Ｘに沿った長さにおいてグリップ本体１７は把持部材側芯管１６よりも短い。
【００１６】
詳しく言うと、把持部材側芯管１６は、その後段１８がグリップ本体１７の内部に挿入されていると共に、後段１８と相対する側の前段が第１の当接部分１３から軸線Ｘの方向に沿って前方に突き出ており、その突き出た部分が上記の接続部分１２を形成している。
【００１７】
グリップ本体１７は、例えば軟質の発泡材料からなっているとよく、本実施形態では、握りやすさと打球の際の振動吸収性を考慮してポリウレタン（ＰＵ）を用いたが、需要に応じてその他の材料、例えばジュラルミンなどのアルミ合金を用いても構わない。
【００１８】
把持部材側芯管１６は、例えば炭素繊維強化プラスチック（ＣＦＲＰ）やガラス繊維強化プラスチック（ＧＦＲＰ）などの繊維強化プラスチックからなっているとよく、本実施形態では炭素繊維強化プラスチックを用いた。
【００１９】
打球部材２は、把持部材１と直線状に連結されるよう軸線Ｘに沿って延伸するように設けられた木材製のものであって、その後端に把持部材１の第１の当接部分１３と前側から当接している第２の当接部分２１１と、その前端に第２の当接部分２１１と相対する頂端部分２１２とをそれぞれ有している円筒状の周壁２１と、周壁２１に打球部材２の内部で囲まれている当接壁２２と、これら周壁２１および当接壁２２とから第２の当接部分２１１に近い側（即ち後方側）に画成されている接続孔２３と、周壁２１および当接壁２２とから頂端部分２１２に近い側（即ち前方側）に画成されている収容孔２４とを有している。
【００２０】
第２の当接部分２１１は、本実施形態において、その後端部の内面に、把持部材１の第１の当接面１３１と形状対応する先細りの截頭円錐状に形成されて第１の当接面１３１と当接している第２の当接面２１１１を有している。つまり、第１の当接面１３１と第２の当接面２１１１とは、それらの接触面が軸線Ｘに対して斜めになるように構成されている（図３参照）。これにより、第１の当接面１３１と第２の当接面２１１１との接触面積が、該両面が軸線Ｘに対して垂直になるよう構成されている場合と比べて大きくなるので、該両面を接着させた際の接着強度が増す。なお、本実施形態においては、図示のように、第１の当接部分１３側の第１の当接面１３１を先細りに凸出面となるように、第２の当接部分２１１側の第２の当接面２１１１を内側に先細りに、つまり擂鉢状に窪んだ凹陥面となるようにそれぞれ形成したが、これとは反対に、第２の当接面２１１１を凸出するように、第１の当接面１３１を凹陥するように形成して互いに形状対応させても構わない。
【００２１】
接続孔２３は、把持部材１の接続部分１２が後方から挿入されるように、第２の当接部分２１１側から頂端部分２１２側に向かって延伸しており、その延伸端（つまり孔の底）が当接壁２２となっている。上述した把持部材１の接続部分１２に挿入されている拡張部材１４はこの当接壁２２に当接しており、また、接続孔２３は該延伸端付近においてその形状が拡張部材１４の形状と対応するように末広がりになっている（図２、図３参照）。
【００２２】
収容孔２４は、接続孔２３と軸線Ｘの方向に間隔をおいて且つ接続孔２３よりも径大になるように頂端部分２１２側から第２の当接部分２１１側に向かって延伸しており、その延伸端（つまり孔の底）が当接壁２２となっている。また、収容孔２４には、把持部材側芯管１６と同じ材質から中空円筒状に形成された打球部材側芯管２５が密嵌されており、このように収容孔２４と打球部材側芯管２５を設けることにより、打球部材２の重量を、それが中空ではなく内実に形成された場合よりも軽くすることができる。
【００２３】
補強部材３は金属製の環状の部材であり、第１の当接部分１３と第２の当接部分２１１とを周りから緊密に囲むように設けられている。また、他の形態として、補強部材３は、第２の当接部分２１１だけを囲むように設けてもかまわず、その材質も、金属ではなく例えば炭素繊維強化プラスチックやガラス繊維強化プラスチックなどの繊維強化プラスチックを用いても構わない。
【００２４】
以下に、上記の構成を有する本実施形態に係る複合式ボールバットの製造方法の一例を示す。
【００２５】
まず、把持部材側芯管１６を金型に入れ、その周りにグリップ本体１７を発泡成形する。その後、把持部材側芯管１６の先端、つまり接続部分１２のスリット１５が形成されている側の先端開口へ、拡張部材１４をその細った端から部分的に挿入する。一方で、補強部材３を打球部材側芯管２５が既に設けられた打球部材２の第２の当接部分２１１に嵌める。
【００２６】
続いて、把持部材１側の第１の当接面１３１と、打球部材２側の第２の当接面２１１１との両方あるいはいずれか一方に、接着剤を塗布してから、把持部材１の接続部分１２を打球部材２の接続孔２３に挿入し、第１の当接面１３１と第２の当接面２１１１とを当接させる。この際、補強部材３は第２の当接部分２１１と第１の当接部分１３とを囲むようになる一方で、拡張部材１４はその前端が接続孔２３内で当接壁２２に当接することにより全体が接続部分１２内に押し込まれる。するとスリット１５の幅が広げられるように接続部分１２の先端が径方向に押し広げられて接続孔２３で周壁２１の内面に強く当接するので、接続部分１２が接続孔２３にきつく嵌る。
【００２７】
なお、上記例において、接続部分１２はその外径が接続孔２３の孔径とほぼ同じになるように形成されており、また拡張部材１４もその最大外径が接続孔２３の孔径よりも多少小さく形成されている。これにより拡張部材１４がその細った端から部分的に挿入された接続部分１２は、接続孔２３に挿入されることができるが、第１の当接面１３１が第２の当接面２１１１に当接するまで深く挿入されると、上述のように拡張部材１４がその前端を当接壁２２に押されることで全体が接続部分１２に深く押し込まれ、これにより外向きに押し広げられた接続部分１２の先端はその肉厚の分だけ周壁２１の内面に強く当接するようになるので、接続孔２３にきつく嵌り込み、抜けなくなる。
【００２８】
以上の構成により、本考案に係る複合式ボールバットによれば以下の効果が得られる。
１．打球時にその応力を最も受ける部分である打球部材２の第２の当接部分２１１は、補強部材３により周りから緊密に囲まれているので、打球時の衝撃で破損することが防がれている。
２．把持部材１側の第１の当接面１３１と、打球部材２側の第２の当接面２１１１とは、それらの接触面が軸線Ｘに対して斜めになる截頭円錐状となるように構成されているので、把持部材１と打球部材２との接触面積が増し、該両面を接着させた際の接着強度が増す。また、拡張部材１４が設けられていることで、打球部材２の接続孔２３に対しての把持部材１の接続部分１２の嵌合がより緊密になる。これにより把持部材１と打球部材２との結合強度が大幅に向上している。
３．把持部材１と打球部材２とはどちらも中空状であり、それぞれ把持部材側芯管１６と打球部材側芯管２５とが内挿されているので、十分な構造強度を保ちながらも全体の重量が軽くなっている。また、グリップ本体１７が軟質の発泡材料からなっているので、握りやすい上に、打球時に手に伝わる衝撃が抑えられている。
【００２９】
（第２の実施形態）
図４から図６は、本考案に係る複合式ボールバットの第２の実施形態を示している。全体の構造は第１の実施形態とほぼ同じだが、主に打球部材２の内部の構造が異なる。以下ではその異なる点のみを詳説する。
【００３０】
本実施形態における打球部材２は、収容孔２４および打球部材側芯管２５を有しておらず、そのほぼ全長に渡って、接続孔２３が形成されている。また、接続孔２３の長さが第１の実施形態よりも長いことと対応して、把持部材１の接続部分もより長く形成されている。
【００３１】
本実施形態においても、第１の当接部分１３と第２の当接部分２１１とは補強部材３により緊密に囲まれているので、第１の実施形態と同様に、把持部材１と打球部材２との結合強度が向上し、全体の構造強度が強化されている。
【００３２】
（第３の実施形態）
図７は本考案に係る複合式ボールバットの第３の実施形態を示している。全体の構造は第１の実施形態とほぼ同じだが、主に把持部材１の構造が異なり、本実施形態において把持部材１はその全体が繊維強化プラスチックにより一体成形されている。
【００３３】
本実施形態においても、第１の当接部分１３と第２の当接部分２１１とは補強部材３により緊密に囲まれているので、第１の実施形態と同様に、把持部材１と打球部材２との結合強度が向上し、全体の構造強度が強化されている。
【００３４】
以上、本考案の好ましい実施形態を説明したが、本考案はこれに限定されるものではなく、その要旨を逸脱しない範囲で種々変更可能であることはいうまでもない。
【産業上の利用可能性】
【００３５】
本考案に係る複合式ボールバットは、耐久性が大幅に向上された複合ボールバットとして有用である。
【符号の説明】
【００３６】
１            把持部材
１１          グリップ部分
１２          接続部分
１３          第１の当接部分
１３１        第１の当接面
１４          拡張部材
１５          スリット
１６          把持部材側芯管
１７          グリップ本体
１８          後段
２            打球部材
２１          周壁
２１１        第２の当接部分
２１１１      第２の当接面
２１２        頂端部分
２２          当接壁
２３          接続孔
２４          収容孔
２５          打球部材側芯管
３            補強部材
Ｘ            軸線
【図１】
0003185601.tif 000003
【図２】
0003185601.tif 000004
【図３】
0003185601.tif 000005
【図４】
0003185601.tif 000006
【図５】
0003185601.tif 000007
【図６】
0003185601.tif 000008
【図７】
0003185601.tif 000009